(57)【要約】【課題】  この発明は、ＲＧＢＸ（ＸはＲＧＢ以外の任意の色）の単位画素間の画素劣化のばらつきを低減でき、焼き付きの発生を抑えることができるようになる表示装置を提供することを目的とする。【解決手段】  ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、ＲＧＢ−ＲＧＢＸ変換率が可変のＲＧＢ−ＲＧＢＸ変換回路、ならびに上記ＲＧＢ−ＲＧＢＸ回路に入力されるＲＧＢ入力信号の表示位置に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えていること。【選択図】  図２６
2006267148.tif 000002
【特許請求の範囲】
【請求項１】
ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、
ＲＧＢ−ＲＧＢＸ変換率が可変のＲＧＢ−ＲＧＢＸ変換回路、ならびに
上記ＲＧＢ−ＲＧＢＸ回路に入力されるＲＧＢ入力信号の表示位置に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段、
を備えていることを特徴とする表示装置。
【請求項２】
ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備え、入力映像のアスペクト比が自発光型ディスプレイのアスペクト比と異なる場合に、自発光型ディスプレイの上部および下部の間の領域（映像表示部）に入力映像が表示され、自発光型ディスプレイの上部および下部の領域（非映像表示部）に灰色の帯が表示される表示装置において、
ＲＧＢ−ＲＧＢＸ変換率が可変のＲＧＢ−ＲＧＢＸ変換回路、
上記ＲＧＢ−ＲＧＢＸ回路に入力されるＲＧＢ入力信号の表示位置が映像表示部内であるか、非映像表示部であるかを判別する判別手段、ならびに
判別手段の判別結果に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えており、
制御手段は、上記ＲＧＢ入力信号の表示位置が映像表示部内であると判別された場合のＲＧＢ−ＲＧＢＸ変換率と、上記ＲＧＢ入力信号の表示位置が非映像表示部内であると判別された場合のＲＧＢ−ＲＧＢＸ変換率とを異なる値に設定することを特徴とする表示装置。
【請求項３】
ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、
ＲＧＢ−ＲＧＢＸ変換率が可変のＲＧＢ−ＲＧＢＸ変換回路、
上記ＲＧＢ−ＲＧＢＸ回路に入力されるＲＧＢ入力信号の表示位置がアイコンが表示されるアイコン表示部内であるか、アイコンが表示されない非アイコン表示部であるかを判別する判別手段、ならびに
判別手段の判別結果に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えており、
制御手段は、上記ＲＧＢ入力信号の表示位置が非アイコン表示部内であると判別された場合のＲＧＢ−ＲＧＢＸ変換率と、上記ＲＧＢ入力信号の表示位置がアイコン表示部内であると判別された場合のＲＧＢ−ＲＧＢＸ変換率とを異なる値に設定することを特徴とする表示装置。
【請求項４】
ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、
ＲＧＢ−ＲＧＢＸ変換率が可変のＲＧＢ−ＲＧＢＸ変換回路、
自発光型ディスプレイの各画素毎にそれを構成するＲＧＢＸの各単位画素それぞれの総発光量を算出して保持する総発光量保持手段、
上記総発光量保持手段に保持されているデータに基づいて、上記ＲＧＢ−ＲＧＢＸ回路に入力されるＲＧＢ入力信号の表示位置に対応する画素内のＲＧＢ単位画素毎の総発光量のうちの最大値と、上記ＲＧＢ入力信号表示位置に対応する画素内のＸ単位画素の総発光量との差を算出する算出手段、ならびに
算出手段によって算出された差に基づいて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段、
を備えていることを特徴とする表示装置。
【請求項５】
上記制御手段は、上記算出手段によって算出された差が第１の閾値を越えたときにＲＧＢ−ＲＧＢＸ変換率を初期設定値より小さい値に設定し、上記算出手段によって算出された差が第１の閾値より小さい第２の閾値より小さくなったときに、ＲＧＢ−ＲＧＢＸ変換率を初期設定値に設定することを特徴とする請求項４に記載の表示装置。
【発明の詳細な説明】
【技術分野】
【０００１】
この発明は、有機ＥＬディスプレイ、無機ＥＬディスプレイ、プラズマディスプレイ等の自発光型ディスプレイを備えた表示装置に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にＲ，Ｇ，Ｂのカラーフィルタが張りつけられているＲＧＢ方式の有機ＥＬディスプレイが既に開発されている。ＲＧＢ方式の有機ＥＬディスプレイでは、ＲＧＢ単位画素毎に有機ＥＬ素子を含んでいる。ＲＧＢ方式の有機ＥＬディスプレイでは、カラーフィルタを光が通過する際に光の一部がカラーフィルタに吸収されるため、光利用効率が悪くなっている。この光利用効率の低さが消費電力の低下を妨げている。
【０００４】
そこで、本出願人は、１画素がＲＧＢＷの４つの単位画素から構成されており、ＲＧＢ単位画素には色フィルタが設けられ、Ｗ単位画素には色フィルタが設けられていないＲＧＢＷ方式の有機ＥＬディスプレイ（自発光型ディスプレイ）の信号処理回路であって、低消費電力化が図れる有機ＥＬディスプレイの信号処理回路を既に開発して出願している。ＲＧＢＷ方式の有機ＥＬディスプレイではＲＧＢＷ単位画素毎に有機ＥＬ素子を含んでいる。
【０００５】
本出願人が既に開発した自発光型ディスプレイの信号処理回路について説明する。本出願人が既に開発した自発光型ディスプレイの信号処理回路は、白発光材料にカラーフィルタが張りつけられている有機ＥＬディスプレイのような自発光型ディスプレイを対象としている。このように自発光型ディスプレイにおいて、図１に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素を、カラーフィルタを配置していない白（Ｗ）表示専用としている。
【０００６】
このようなＲＧＢＷ配列では、白表示専用の単位画素は、カラーフィルタが存在していないため、光の利用効率は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。
【０００７】
しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。
【０００８】
そこで、白発光材料によって得られる白の色度が目標とする白の色度と異なる場合に、ＲＧＢ入力信号を、当該入力信号に対応する輝度および色度が同一でかつ低消費電力化が図れるＲＧＢＷ信号に変換するための信号処理の手法を開発した。
【０００９】
〔１〕表示装置の構成の説明
図２は、表示装置の構成を示している。
ＲＧＢ−ＲＧＢＷ信号変換回路１には、デジタルのＲＧＢ入力信号が入力される。ＲＧＢ−ＲＧＢＷ信号変換回路１は、ＲＧＢ入力信号をＲＧＢＷ信号に変換する。ＲＧＢ−ＲＧＢＷ信号変換回路１によって得られたＲＧＢＷ信号は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【００１０】
〔２〕ＲＧＢ−ＲＧＢＷ信号変換の基本的な考え方の説明
図３に示すような、ＲＧＢ入力信号を想定する。なお、説明の便宜上、ＲＧＢ入力信号には、予めガンマ補正がかけられていないものとする。また、ＲＧＢのみで目標の白の輝度および色度を実現するようなＲＧＢ輝度がＲＧＢの白側リファレンス輝度（Ｄ／Ａ変換回路２のＲＧＢに対する白側リファレンス電圧）として予め設定されているものとする。なお、Ｗの白側リファレンス輝度は、Ｗのみ表示したときに目標輝度（後述する図９のステップＳ４で決定されるＷの輝度）となるように調整される。
【００１１】
この例では、ＲＧＢ入力信号値は、８ビットで表され、Ｒ＝２００，Ｇ＝１００，Ｂ＝１７０であるとする。ＲＧＢ入力信号値の最小値は１００であるので、ＲＧＢ入力信号値を、図４に示すように、それらの最小値（ｍｉｎ（ＲＧＢ））と、図５に示すように、残りの値（入力信号−ｍｉｎ（ＲＧＢ））とに分解する。図４の場合、ＲＧＢ入力信号値が全て１００の場合の目標の白Ｗt （１００）と等価となっている。
【００１２】
ＲＧＢ入力信号値が全て２５５の場合の目標の白Ｗt （２５５）を表現するためのＲＧＢＷの信号値が図６に示すような信号値（７７，０，２０４，２５５）であるとすると、ＲＧＢ入力信号値が全て１００の場合の目標の白Ｗt （１００）を実現するためのＲＧＢＷの信号値は図７に示すようになる。
【００１３】
図６に示すような信号値については、目標白を実現するためのＲＧＢ輝度値およびＲＧＢＷ輝度値から求めることができる。ＲＧＢ入力信号値が全て２５５の場合の目標白を実現するためのＲＧＢＷ信号値を（Ｒ１，Ｇ１，Ｂ１，Ｗ１）とする。目標白の輝度および色度を実現するためのＲＧＢ輝度値を（ＬＲ１，ＬＧ１，ＬＢ１）、目標白の輝度および色度を実現するためのＲＧＢＷ輝度値を（ＬＲ２，ＬＧ２，ＬＢ２，ＬＷ２）とすると、ＲＧＢ入力信号値が全て２５５の場合の目標白を実現するためのＲＧＢＷ信号値は、（Ｒ１＝２５５×ＬＲ２／ＬＲ１，Ｇ１＝２５５×ＬＧ２／ＬＧ１，Ｂ１＝２５５×ＬＢ２／ＬＢ１，Ｗ１＝２５５）となる。特に、Ｗに関しては、ＲＧＢＷ表示系のみでしか定義できないので、一意に２５５となる。なお、目標白の輝度および色度を実現するためのＲＧＢ輝度値およびＲＧＢＷ輝度値の求め方については後述する。
【００１４】
図７のＲ，Ｇ，Ｂ，Ｗは、次式（１）によって求められる。
【００１５】
Ｒ＝７７×１００／２５５＝３０
Ｇ＝０×１００／２５５＝０
Ｂ＝２０４×１００／２５５＝８０
Ｗ＝２５５×１００／２５５＝１００        …（１）
【００１６】
そこで、図４のＲＧＢ値を、図７のＲＧＢＷ値と置き換える。したがって、図３に示すＲＧＢ値は、図５のＲＧＢ値と図７のＲＧＢＷ値とを加算することにより、図８に示すＲＧＢＷ値に変換される。
【００１７】
図８のＲ，Ｇ，Ｂ，Ｗは、次式（２）によって求められる。
【００１８】
Ｒ＝１００＋３０＝１３０
Ｇ＝０＋０＝０
Ｂ＝７０＋８０＝１５０
Ｗ＝０＋１００＝１００      …（２）
【００１９】
ＲＧＢの白側リファレンス輝度（目標白の輝度および色度を実現するためのＲＧＢ輝度値）、目標白の輝度および色度を表現するためのＲＧＢＷの輝度値、ならびにＲＧＢ入力信号値が全て２５５の場合の目標白を実現するためのＲＧＢＷ信号値は、予めパネル調整処理によって求められている。
【００２０】
〔３〕第１のＲＧＢ−ＲＧＢＷ信号変換処理についての説明
【００２１】
図９は、パネル調整処理手順を示している。
【００２２】
目標の白Ｗt の輝度ＬWtおよび色度座標（ｘWt，ｙWt  ）を設定する（ステップＳ１）。
【００２３】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００２４】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬR （上記ＬＲ１に相当する），ＬG （上記ＬＧ１に相当する），ＬB （上記ＬＢ１に相当する）を算出する。この輝度値ＬR ，ＬG ，ＬB は、次式（３）から求められる。
【００２５】
【数１】
2006267148.tif 000003
【００２６】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００２７】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬR （上記ＬＲ２に相当する），ＬG （上記ＬＧ２に相当する），ＬB （上記ＬＢ２に相当する），ＬW （上記ＬＷ２に相当する）を算出する。
【００２８】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図１０に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬR （上記ＬＲ２に相当），ＬB （上記ＬＢ２に相当），ＬW （上記ＬＷ２に相当）は、次式（４）から求められる。この場合、上記ＬＧ２に相当するＬG は０である。
【００２９】
【数２】
2006267148.tif 000004
【００３０】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００３１】
次に、上記ステップＳ３の算出結果を用いて、ＲＧＢＷの白側リファレンス輝度を算出する（ステップＳ５）。
【００３２】
ＲＧＢ入力信号値が８ビットで表される場合、ＲＧＢの白側リファレンス輝度は、ＲＧＢ信号として（２５５，２５５，２５５）を入力したときに、発光輝度および発光色が目標の白Ｗt の輝度ＬWtおよび色度（ｘWt，ｙWt  ）となるように調整される。つまり、ＲＧＢ信号として（２５５，２５５，２５５）を入力したときに、ＲＧＢの輝度がそれぞれ上記ステップＳ３で算出した輝度値ＬR ，ＬG ，ＬB となるように、ＲＧＢの白側リファレンス輝度が調整される。このようにＲＧＢの白側リファレンス輝度が調整されると、入力ＲＧＢ信号が同値の場合、発光色は必ず目標の白の色度となる。なお、Ｗの白側リファレンス輝度は、Ｗのみ表示したときに目標輝度（図９のステップＳ４で決定されたＷの輝度値ＬW ）となるように調整される。
【００３３】
なお、ＲＧＢ入力信号値が全て２５５の場合の目標白Ｗt （２５５）を実現するためのＲＧＢＷ信号値は、パネル調整処理のステップＳ３で算出された輝度値ＬR （上記ＬＲ１に相当する），ＬG （上記ＬＧ１に相当する），ＬB （上記ＬＢ１に相当する）と、上記ステップＳ４で算出された輝度値ＬR （上記ＬＲ２に相当する），ＬG （上記ＬＧ２に相当する），ＬB （上記ＬＢ２に相当する），ＬW （上記ＬＷ２に相当する）から予め算出される。
【００３４】
図１１は、ＲＧＢ入力信号をＲＧＢＷ信号に変換するための信号変換処理の手順を示している。
【００３５】
まず、ＲＧＢ入力信号中の最小値（ｍｉｎ（ＲＧＢ））を決定する（ステップＳ１１）。図３の例では、ｍｉｎ（ＲＧＢ）＝１００となる。
【００３６】
次に、各ＲＧＢ入力信号からｍｉｎ（ＲＧＢ）を減算する（ステップＳ１２）。図３の例では、図５に示すように、ＲＧＢに対する減算結果は、それぞれ１００，０，７０となる。
【００３７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ１３）。目標の白Ｗt （２５５）を表現するためのＲＧＢＷの信号値が、図６で示すような信号値であるとすると、図３の例では、ｍｉｎ（ＲＧＢ）に対応するＲＧＢＷ信号の信号値は図７に示すようなる。
【００３８】
次に、上記ステップＳ１２で算出した減算値｛ＲＧＢ−ｍｉｎ（ＲＧＢ）｝に上記ステップＳ１３で求められたＲＧＢＷ信号の信号値を加算することにより、ＲＧＢ入力信号に対応するＲＧＢＷ信号を算出する（ステップＳ１４）。図３の例では、ＲＧＢ入力信号に対応するＲＧＢＷ信号は図８に示すようになる。
【００３９】
〔４〕第２のＲＧＢ−ＲＧＢＷ信号変換処理の説明
【００４０】
目標の白の色度をＲＢＷの３色のみによって表現することが可能な場合においてＲＧＢ入力信号の中の最小値がＧ信号である場合には、図１１のステップＳ１１〜ステップＳ１４の処理（ＲＧＢ−ＲＧＢＷ変換ルーチン）によって、ＲＧＢ信号の１つの信号（Ｇ信号）が０となるＲＧＢＷ信号が得られる。
【００４１】
同様に、目標の白の色度をＲＧＷの３色のみによって表現することが可能な場合においてＲＧＢ入力信号の中の最小値がＢ信号である場合にも、図１１のステップＳ１１〜ステップＳ１４の処理（ＲＧＢ−ＲＧＢＷ変換ルーチン）によって、ＲＧＢ信号の１つの信号（Ｂ信号）が０となるＲＧＢＷ信号が得られる。また、目標の白の色度をＧＢＷの３色のみによって表現することが可能な場合においてＲＧＢ入力信号の中の最小値がＲ信号である場合にも、図１１のステップＳ１１〜ステップＳ１４の処理（ＲＧＢ−ＲＧＢＷ変換ルーチン）によって、ＲＧＢ信号の１つの信号（Ｒ信号）が０となるＲＧＢＷ信号が得られる。
【００４２】
しかしながら、目標の白の色度をＲＢＷの３色のみによって表現することが可能な場合においてＲＧＢ入力信号の中の最小値がＧ信号以外の色の信号である場合、目標の白の色度をＲＧＷの３色のみによって表現することが可能な場合においてＲＧＢ入力信号の中の最小値がＢ信号以外の色の信号である場合、および目標の白の色度をＧＢＷの３色のみによって表現することが可能な場合においてＲＧＢ入力信号の中の最小値がＲ信号以外の色の信号である場合には、図１１のステップＳ１１〜ステップＳ１４の処理（ＲＧＢ−ＲＧＢＷ変換ルーチン）を１回行うだけでは、得られたＲＧＢＷ信号におけるＲＧＢ信号中の１つの信号が０とならない。
【００４３】
つまり、条件によっては、ＲＧＢ−ＲＧＢＷ変換ルーチンを１回行うだけでは、得られたＲＧＢＷ信号におけるＲＧＢ信号中の１つの信号が０とならない。
【００４４】
ＲＧＢＷ信号におけるＲＧＢ信号中の１つの信号が０となるように、ＲＧＢ入力信号をＲＧＢＷ信号に変換した方が、Ｗ信号の大きさが大きくなり、発光効率が高くなり、低消費電力化が図れる。
【００４５】
そこで、第２のＲＧＢ−ＲＧＢＷ信号変換処理では、条件にかかわらず、ＲＧＢ信号中の１つの信号が０となるようなＲＧＢＷ信号が得られる信号変換方法を提案する。
【００４６】
図１２は、ＲＧＢ入力信号をＲＧＢＷ信号に変換するための第２のＲＧＢ−ＲＧＢＷ信号変換処理の手順を示している。
【００４７】
ＲＧＢ入力信号値が全て２５５の場合の目標の白Ｗt （２５５）を表現するためのＲＧＢＷの信号値が図６で示すような信号値であるとする。
【００４８】
まず、ＲＧＢ入力信号中の最小値（ｍｉｎ（ＲＧＢ））を決定する（ステップＳ２１）。図１３に示すように、ＲＧＢ入力信号値が、Ｒ＝２００，Ｇ＝１７０，Ｂ＝１００であるとすると、図１５に示すように、ｍｉｎ（ＲＧＢ）＝１００となる。
【００４９】
次に、各ＲＧＢ入力信号からｍｉｎ（ＲＧＢ）を減算する（ステップＳ２２）。図１３の例では、図１４に示すように、ＲＧＢに対する減算結果は、それぞれ１００，７０，０となる。つまり、ＲＧＢ入力信号は、図１４のＲＧＢ信号値と、図１５のＲＧＢ信号値とに分解される。
【００５０】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図６で示すような信号値であるとすると、図１３の例では、ｍｉｎ（ＲＧＢ）に対応するＲＧＢＷ信号の信号値は図１６（図７と同じ）に示すようなる。
【００５１】
次に、上記ステップＳ２２で求められた減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図１３の例では、ＲＧＢ入力信号に対応するＲＧＢＷ信号は図１７に示すようになる。
【００５２】
図１７のＲ，Ｇ，Ｂ，Ｗは、次式（５）によって求められる。
【００５３】
Ｒ＝１００＋３０＝１３０
Ｇ＝７０＋０＝７０
Ｂ＝０＋８０＝８０
Ｗ＝０＋１００＝１００      …（５）
【００５４】
次に、得られたＲＧＢＷ信号におけるＲＧＢ信号の最小値が０であるか否かを判別する（ステップＳ２５）。得られたＲＧＢＷ信号におけるＲＧＢ信号の最小値が０である場合には、信号変換処理を終了する。つまり、上記ステップＳ２４で得られたＲＧＢＷ信号がＲＧＢＷ出力信号となる。
【００５５】
得られたＲＧＢＷ信号におけるＲＧＢ信号の最小値が０でない場合には、得られたＲＧＢＷ信号を入力ＲＧＢＷ信号と見做して、上記ステップＳ２１〜Ｓ２４で行った処理（ＲＧＢ−ＲＧＢＷ変換ルーチン）と同様な処理を再度行う。
【００５６】
つまり、ＲＧＢＷ信号におけるＲＧＢ信号の最小値が０でない場合には、図１８に示すように、得られたＲＧＢＷ信号をＲ1 Ｇ1 Ｂ1 Ｗ1 入力信号とする。そして、Ｒ1 Ｇ1 Ｂ1 入力信号中の最小値（ｍｉｎ（Ｒ1 Ｇ1 Ｂ1 ））を決定する（ステップＳ２６）。図１８に示すように、Ｒ1 Ｇ1 Ｂ1 Ｗ1 入力信号が、Ｒ＝１３０，Ｇ＝７０，Ｂ＝８０，Ｗ＝１００であるとすると、図２０に示すように、ｍｉｎ（Ｒ1 Ｇ1 Ｂ1 ）＝７０となる。
【００５７】
次に、各Ｒ1 Ｇ1 Ｂ1 入力信号からｍｉｎ（Ｒ1 Ｇ1 Ｂ1 ）を減算する（ステップＳ２７）。図１８の例では、図１９に示すように、ＲＧＢに対する減算結果は、それぞれ６０、０、１０となる。つまり、Ｒ1 Ｇ1 Ｂ1 入力信号は、図１９のＲ1 Ｇ1 Ｂ1 信号値と、図２０のＲ1 Ｇ1 Ｂ1 信号値とに分解される。
【００５８】
次に、ｍｉｎ（Ｒ1 Ｇ1 Ｂ1 ）を、ＲＧＢ入力信号値が全て２５５の場合の目標の白Ｗt （２５５）を表現するためのＲＧＢＷの信号値を用いて、ＲＧＢＷ信号に変換する（ステップＳ２８）。目標白Ｗt （２５５）を実現するためのＲＧＢＷ信号値が、図６で示すような信号値であるとすると、図２０の例では、ｍｉｎ（Ｒ1 Ｇ1 Ｂ1 ）に対応するＲＧＢＷ信号の信号値は図２１に示すようなる。
【００５９】
図２１のＲ，Ｇ，Ｂ，Ｗは、次式（６）によって求められる。
【００６０】
Ｒ＝７７×７０／２５５＝２１
Ｇ＝０×７０／２５５＝０
Ｂ＝２０４×７０／２５５＝５６
Ｗ＝２５５×７０／２５５＝７０      …（６）
【００６１】
次に、上記ステップＳ２７で算出された減算値｛Ｒ1 Ｇ1 Ｂ1 −ｍｉｎ（Ｒ1 Ｇ1 Ｂ1 ）｝に上記ステップＳ２８で求められたＲＧＢＷ信号中のＲＧＢ信号値を加算することによりＲＧＢ信号を求めるとともに、Ｒ1 Ｇ1 Ｂ1 Ｗ1 入力信号中のＷ1 に上記ステップＳ２８で求められたＲＧＢＷ信号中のＷ信号値を加算することによりＷ信号を求める（ステップＳ２９）。このようにしてＲＧＢＷ信号が得られる。
【００６２】
上記の例では、ＲＧＢＷ信号は図２２に示すようになる。図２２のＲ，Ｇ，Ｂ，Ｗは、次式（７）によって求められる。
【００６３】
Ｒ＝６０＋２１＝８１
Ｇ＝０＋０＝０
Ｂ＝１０＋５６＝６６
Ｗ＝１００＋７０＝１７０      …（７）
【００６４】
次に、上記ステップＳ２９で求められたＲＧＢＷ信号におけるＲＧＢ信号の最小値が０であるか否かを判別する（ステップＳ３０）。得られたＲＧＢＷ信号におけるＲＧＢ信号の最小値が０である場合には、信号変換処理を終了する。
【００６５】
得られたＲＧＢＷ信号におけるＲＧＢ信号の最小値が０でない場合には、上記ステップＳ２６に戻る。つまり、得られたＲＧＢＷ信号におけるＲＧＢ信号の最小値が０となるまで、ＲＧＢ−ＲＧＢＷ変換ルーチンが繰り返し行われる。
〔５〕第３のＲＧＢ−ＲＧＢＷ信号変換処理の説明
【００６６】
上記第１のＲＧＢ−ＲＧＢＷ信号変換処理で説明したように、条件によっては、ｍｉｎ（ＲＧＢ）を減算することによって０にした信号が、その後のｍｉｎ（ＲＧＢ）からＲＧＢＷ信号への変換によって、１以上の値を持つことがある。このような場合には、上記第２のＲＧＢ−ＲＧＢＷ信号変換処理で説明したように、ＲＧＢ−ＲＧＢＷ変換ルーチンが繰り返し行われる。
【００６７】
第３のＲＧＢ−ＲＧＢＷ信号変換処理では、ＲＧＢ−ＲＧＢＷ変換ルーチンを１回実行することによって、条件にかかわらず、ＲＧＢ信号のうちの少なくとも１つが０となるＲＧＢＷ信号が得られる信号変換方法を提案する。
【００６８】
ＲＧＢ信号中の１つの信号に着目して、信号変換の過程について説明する。着目している信号を常にｍｉｎ（ＲＧＢ）として取り扱うようにし、またｍｉｎ（ＲＧＢ）のＲＧＢＷ信号への変換によって、当該信号に当該変換後のＷ信号の０．８割程度がフィードバックされてくると仮定すると、着目している信号は、たとえば、初期値を５０とすると、次式（８）に示すように、ＲＧＢ−ＲＧＢＷ変換ルーチンの実行回数に応じて変化する。
【００６９】
５０→４０→３２→２５．６→２０．５→１６．４→１３．１…→０    …（８）
【００７０】
この場合、Ｗ信号は、上記式（８）の全ての数値を加算した値となり、初項５０、公比０．８の無限等比級数の和として求めることができる。−１＜公比＜１の場合には、無限等比級数の和は、次式（９）のように簡略することができる。
【００７１】
無限等比級数の和＝初項／（１−公比）        …（９）
【００７２】
したがって、無限等比級数が上記式（８）で表される場合には、無限等比級数の和は、５０／（１−０．８）＝２５０となる。
【００７３】
実際の系では、ＲＧＢ信号毎に上記のような無限等比級数の和を算出し、そのうちの最小のものをｍｉｎ（ＲＧＢ）として、ＲＧＢ−ＲＧＢＷ変換ルーチンを１回実行する。この結果、得られたＲＧＢＷ信号におけるＲＧＢ信号のうちの１つが０となり、他の２つが０以上の値となる。
【００７４】
ＲＧＢ入力信号値が、Ｒ＝２５５，Ｇ＝２５５，Ｂ＝５０の場合を例にとって説明する。
【００７５】
ＲＧＢ入力信号値が全て２５５の場合の目標の白Ｗt （２５５）を表現するためのＲＧＢＷ信号の信号値が図６に示すような場合を想定すると、ｍｉｎ（ＲＧＢ）のＲＧＢＷ信号への変換による、ＲＧＢ信号のフィードバック率は０．３（＝図６のＲ／図６のＷ＝７７／２５５），０（＝図６のＧ／図６のＷ），０．８（＝図６のＢ／図６のＷ＝２０４／２５５）となる。
【００７６】
Ｒ，Ｇ，Ｂに対応する無限等比級数の和をΣＲ，ΣＧ，ΣＢとすると、ΣＲ，ΣＧ，ΣＢは、次式（１０）のようになる。
【００７７】
ΣＲ＝２５５／（１−０．３）＝３６４
ΣＧ＝２５５／（１−０）＝２５５
ΣＢ＝５０／（１−０．８）＝２５０      …（１０）
【００７８】
最小値は２５０となるので、２５０をＲＧＢ入力信号値から減算すると、その減算結果は、次式（１１）のようになる。
【００７９】
Ｒ＝２５５−２５０＝５
Ｇ＝２５５−２５０＝５
Ｂ＝５０−２５０＝−２００    …（１１）
【００８０】
一方、ｍｉｎ（ＲＧＢ）（＝２５０）をＲＧＢＷ信号に変換すると、次式（１２）のようになる。
【００８１】
Ｒ＝２５０×０．３＝７５
Ｇ＝２５５×０＝０
Ｂ＝５０×０．８＝２００
Ｗ＝２５０                    …（１２）
【００８２】
したがって、ＲＧＢＷ出力信号は、次式（１３）のようになる。
【００８３】
Ｒ＝５＋７５＝８０
Ｇ＝５＋０＝５
Ｂ＝−２００＋２００＝０
Ｗ＝２５０                    …（１３）
【００８４】
図２３は、ＲＧＢ入力信号をＲＧＢＷ信号に変換するための第３のＲＧＢ−ＲＧＢＷ信号変換処理の手順を示している。
【００８５】
ＲＧＢ入力信号値が全て２５５の場合の目標の白Ｗt （２５５）を表現するためのＲＧＢＷの信号値を用いて、ＲＧＢ信号のフィードバック率を算出する（ステップＳ４１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【００８６】
次に、ＲＧＢ入力信号毎に、ＲＧＢ入力信号値を初項とし、上記ステップＳ４１で算出したフィードバック率を公比とする無限等比級数の和ΣＲ，ΣＧ，ΣＢを算出する（ステップＳ４２）。
【００８７】
次に、ＲＧＢ入力信号毎に算出された無限等比級数の和ΣＲ，ΣＧ，ΣＢのうちの最小値を、ｍｉｎ（ＲＧＢ）として、ＲＧＢ入力信号から減算する（ステップＳ４３）。
【００８８】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ４４）。
【００８９】
次に、上記ステップＳ４３で求められた減算値｛ＲＧＢ−ｍｉｎ（ＲＧＢ）｝に上記ステップＳ４４で求められたＲＧＢＷ信号の信号値を加算することにより、ＲＧＢ入力信号に対応するＲＧＢＷ信号を求める（ステップＳ４５）。
【特許文献１】特開平１１−２９５７１７号公報
【発明の開示】
【発明が解決しようとする課題】
【００９０】
図２３で示した第３のＲＧＢ−ＲＧＢＷ信号変換処理では、ｍｉｎ（ＲＧＢ）の１００％をＲＧＢＷ信号に変換している。つまり、ＲＧＢ−ＲＧＢＷ変換率（Ｗ使用率）は、常に１００％であった。
【００９１】
ところで、ＲＧＢＷ方式の自発光型ディスプレイでは、ＲＧＢＷの単位画素間の画素劣化のばらつきによって焼き付きが起こる。特に、アイコン等の固定画像が表示される場合には、その固定画像において発光量の多い単位画素は劣化が進行しやすくなる。
【００９２】
この発明は、ＲＧＢＸ（ＸはＲＧＢ以外の任意の色）の単位画素間の画素劣化のばらつきを低減でき、焼き付きの発生を抑えることができるようになる表示装置を提供することを目的とする。
【課題を解決するための手段】
【００９３】
請求項１に記載の発明は、ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、ＲＧＢ−ＲＧＢＸ変換率が可変のＲＧＢ−ＲＧＢＸ変換回路、ならびに上記ＲＧＢ−ＲＧＢＸ回路に入力されるＲＧＢ入力信号の表示位置に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えていることを特徴とする。
【００９４】
請求項２に記載の発明は、ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備え、入力映像のアスペクト比が自発光型ディスプレイのアスペクト比と異なる場合に、自発光型ディスプレイの上部および下部の間の領域（映像表示部）に入力映像が表示され、自発光型ディスプレイの上部および下部の領域（非映像表示部）に灰色の帯が表示される表示装置において、ＲＧＢ−ＲＧＢＸ変換率が可変のＲＧＢ−ＲＧＢＸ変換回路、上記ＲＧＢ−ＲＧＢＸ回路に入力されるＲＧＢ入力信号の表示位置が映像表示部内であるか、非映像表示部であるかを判別する判別手段、ならびに判別手段の判別結果に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えており、制御手段は、上記ＲＧＢ入力信号の表示位置が映像表示部内であると判別された場合のＲＧＢ−ＲＧＢＸ変換率と、上記ＲＧＢ入力信号の表示位置が非映像表示部内であると判別された場合のＲＧＢ−ＲＧＢＸ変換率とを異なる値に設定することを特徴とする。
【００９５】
請求項３に記載の発明は、ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、ＲＧＢ−ＲＧＢＸ変換率が可変のＲＧＢ−ＲＧＢＸ変換回路、上記ＲＧＢ−ＲＧＢＸ回路に入力されるＲＧＢ入力信号の表示位置がアイコンが表示されるアイコン表示部内であるか、アイコンが表示されない非アイコン表示部であるかを判別する判別手段、ならびに判別手段の判別結果に応じて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えており、制御手段は、上記ＲＧＢ入力信号の表示位置が非アイコン表示部内であると判別された場合のＲＧＢ−ＲＧＢＸ変換率と、上記ＲＧＢ入力信号の表示位置がアイコン表示部内であると判別された場合のＲＧＢ−ＲＧＢＸ変換率とを異なる値に設定することを特徴とする。
【００９６】
請求項４に記載の発明は、ＸをＲＧＢ以外の任意の色として、ＲＧＢ信号をＲＧＢＸ信号に変換するＲＧＢ−ＲＧＢＸ変換回路と、ＲＧＢ−ＲＧＢＸ変換回路によって得られたＲＧＢＸ信号に基づいて映像を表示するＲＧＢＸ方式の自発光型ディスプレイを備えた表示装置において、ＲＧＢ−ＲＧＢＸ変換率が可変のＲＧＢ−ＲＧＢＸ変換回路、自発光型ディスプレイの各画素毎にそれを構成するＲＧＢＸの各単位画素それぞれの総発光量を算出して保持する総発光量保持手段、上記総発光量保持手段に保持されているデータに基づいて、上記ＲＧＢ−ＲＧＢＸ回路に入力されるＲＧＢ入力信号の表示位置に対応する画素内のＲＧＢ単位画素毎の総発光量のうちの最大値と、上記ＲＧＢ入力信号表示位置に対応する画素内のＸ単位画素の総発光量との差を算出する算出手段、ならびに算出手段によって算出された差に基づいて、上記ＲＧＢ−ＲＧＢＸ変換回路によって上記ＲＧＢ入力信号をＲＧＢＸ信号に変換する際のＲＧＢ−ＲＧＢＸ変換率を制御する制御手段を備えていることを特徴とする。
【００９７】
請求項５に記載の発明は、請求項４に記載の発明において、上記制御手段は、上記算出手段によって算出された差が第１の閾値を越えたときにＲＧＢ−ＲＧＢＸ変換率を初期設定値より小さい値に設定し、上記算出手段によって算出された差が第１の閾値より小さい第２の閾値より小さくなったときに、ＲＧＢ−ＲＧＢＸ変換率を初期設定値に設定することを特徴とする。
【発明の効果】
【００９８】
この発明によれば、ＲＧＢＸ（ＸはＲＧＢ以外の任意の色）の単位画素間の画素劣化のばらつきを低減でき、焼き付きの発生を抑えることができるようになる。
【発明を実施するための最良の形態】
【００９９】
以下、図面を参照して、この発明の実施例について説明する。
【実施例１】
【０１００】
〔１〕ＲＧＢ−ＲＧＢＷ変換回路についての説明
まず、実施例１で用いられるＲＧＢ−ＲＧＢＷ変換回路について説明する。実施例１で用いられるＲＧＢ−ＲＧＢＷ変換回路は、図２３を用いて説明した第３のＲＧＢ−ＲＧＢＷ変換処理とほぼ同様な処理によってＲＧＢ信号をＲＧＢＷ信号に変換する。ただし、Ｗ使用率（ＲＧＢ−ＲＧＢＷ変換率）を制御できるようにした点が異なっている。
【０１０１】
図２４は、実施例１で用いられるＲＧＢ−ＲＧＢＷ変換回路によるＲＧＢ−ＲＧＢＷ信号変換処理の手順を示している。
【０１０２】
まず、ＲＧＢ入力信号値が全て２５５の場合の目標の白Ｗt （２５５）を表現するためのＲＧＢＷの信号値を用いて、ＲＧＢ信号のフィードバック率を算出する（ステップＳ５１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【０１０３】
次に、ＲＧＢ入力信号毎に、ＲＧＢ入力信号値を初項とし、上記ステップＳ５１で算出したフィードバック率を公比とする無限等比級数の和ΣＲ，ΣＧ，ΣＢを算出する（ステップＳ５２）。
【０１０４】
次に、ＲＧＢ入力信号毎に算出された無限等比級数の和ΣＲ，ΣＧ，ΣＢのうちの最小値をｍｉｎ（ＲＧＢ）とし、設定されたＷ使用率をαとして、ＲＧＢ入力信号からα×ｍｉｎ（ＲＧＢ）を減算する（ステップＳ５３）。
【０１０５】
次に、α×ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ５４）。
【０１０６】
次に、上記ステップＳ５３で求められた減算値｛ＲＧＢ−α×ｍｉｎ（ＲＧＢ）｝に上記ステップＳ５４で求められたＲＧＢＷ信号の信号値を加算することにより、ＲＧＢ入力信号に対応するＲＧＢＷ信号を求める（ステップＳ５５）。
【０１０７】
〔２〕実施例１の概要
ＲＧＢＷ方式の有機ＥＬディスプレイの解像度が６４０（Ｈ）×４８０（Ｖ）であるとすると、入力映像のアスペクト比が４：３の場合には、有機ＥＬディスプレイの表示領域の全体に入力映像が表示されるが、入力映像のアスペクト比が１６：９の場合には、図２５に示すように、入力映像はディスプレイの表示領域の上部と下部との間の領域( 映像表示部) Ｅ１に表示され、入力映像が表示されない上部および下部の領域（非映像表示部）Ｅ２、Ｅ３には、例えば、常に灰色が表示される。このような場合には、非映像表示部においては、ＲＧＢＷ単位画素のうちＷの単位画素の発光量が多いため、Ｗの単位画素が劣化しやすくなる。
【０１０８】
そこで、実施例１では、入力映像のアスペクト比が１６：９の場合には、映像表示部においてはＷ使用率αを１００〔％〕とし、非映像表示部においては、Ｗ使用率αを１００〔％〕より下げることにより、非映像表示部において、ＲＧＢＷの各単位画素の劣化率を均等にさせる。なお、入力映像のアスペクト比が４：３の場合には、画面全体が映像表示部となるので、Ｗ使用率αは１００〔％〕となる。
【０１０９】
〔３〕表示装置の構成の説明
図２６は、表示装置の構成を示している。
【０１１０】
ＲＧＢ−ＲＧＢＷ信号変換回路１には、デジタルのＲＧＢ信号Rin,Gin,Bin が入力される。このＲＧＢ信号Rin,Gin,Bin には、映像表示部に表示される映像信号の他、入力映像のアスペクト比が１６：９の場合の非映像表示部に表示される灰色の信号も含まれている。ＲＧＢ−ＲＧＢＷ信号変換回路１は、ＲＧＢ信号Rin,Gin,Bin をＲＧＢＷ信号Rout,Gout,Bout,Wout に変換する。ＲＧＢ−ＲＧＢＷ信号変換回路１によって得られたＲＧＢＷ信号Rout,Gout,Bout,Wout は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【０１１１】
ＲＧＢ信号Rin,Gin,Bin の垂直同期信号Vsync および水平同期信号Hsync は、タイミング生成回路２４に送られる。タイミング生成回路２４は、タイミング信号を生成して、Ｄ／Ａ変換回路２および有機ＥＬディスプレイ３に送る。
【０１１２】
入力ＲＧＢ信号の垂直同期信号Vsync 、水平同期信号Hsync およびドット信号ＣＬＫは、カウンタ(CNT) ２１に送られる。カウンタ２１からは、ＲＧＢ信号Rin,Gin,Bin に対応する画面上の表示位置( 水平位置および垂直位置) を示す位置信号が出力される。カウンタ２１から出力される位置信号は、比較回路２２に送られる。比較回路２２には、映像表示部の領域を規定するための信号H ＿Start 、H ＿End 、V ＿Start 、V ＿End が設定される。
【０１１３】
入力映像のアスペクト比が４：３の場合には、映像表示部の領域は画面全体であるため、H ＿Start 、H ＿End 、V ＿Start 、V ＿End としては、画面全体の領域を表す値が設定される。
【０１１４】
入力映像のアスペクト比が１６：９の場合には、映像表示部の領域は、画面全体のうち上部と下部との間の領域であるため、H ＿Start 、H ＿End 、V ＿Start 、V ＿End としては、次のような値が設定される。
【０１１５】
H ＿Start ＝０
H ＿End ＝６３９
V ＿Start ＝６０
V ＿End ＝４１９
【０１１６】
比較回路２２は、カウンタ２１の位置信号とH ＿Start 、H ＿End 、V ＿Start 、V ＿End の設定値とを比較することにより、画面上の表示位置が映像表示部内であるか非映像表示部であるかを判別し、その判別信号を出力する。
【０１１７】
比較回路２２から出力される判別信号は、セレクタ(SEL) ２３にセレクタ制御信号として送られる。セレクタ２３には、ＲＧＢ−ＲＧＢＷ変換回路１で用いられるＷ使用率αとして、第１のＷ使用率WGAIN1と、第２のＷ使用率WGAIN2とが入力されている。WGAIN1は１００〔％〕に設定され、WGAIN2は１００〔％〕より小さい値に設定されている。
【０１１８】
セレクタ２３は、画面上の表示位置が映像表示部内であることを示す判別信号が入力しているときには、WGAIN1をＷ使用率αとしてＲＧＢ−ＲＧＢＷ変換回路１に設定し、画面上の表示位置が非映像表示部内であることを示す判別信号が入力しているときには、WGAIN2をＷ使用率αとしてＲＧＢ−ＲＧＢＷ変換回路１に設定する。
【０１１９】
したがって、入力映像のアスペクト比が１６：９の場合には、映像表示部においてはＷ使用率αが１００〔％〕に設定され、非映像表示部において、Ｗ使用率αが１００〔％〕より低い値に設定されるので、非映像表示部においてもＲＧＢＷの各単位画素の劣化率を均等にさせることができる。このため、焼き付きが発生しにくくなる。
【実施例２】
【０１２０】
〔１〕ＲＧＢ−ＲＧＢＷ変換回路についての説明
実施例２で用いられるＲＧＢ−ＲＧＢＷ変換回路による変換処理手法は、図２４で示した実施例１のＲＧＢ−ＲＧＢＷ変換回路による変換処理手法と同じである。
【０１２１】
〔２〕実施例２の概要
ＲＧＢＷ方式の有機ＥＬディスプレイを備えた表示装置において、画像中にアイコンが表示されることがある。アイコンの表示領域（アイコン表示部）では、ＲＧＢＷの単位画素のうち発光量の多い単位画素が劣化しやすくなる。従来のようにＷ使用率αが１００％である場合には、アイコンの表示領域では、Ｗの単位画素が劣化しやすくなる。
【０１２２】
そこで、実施例２では、アイコンが表示される場合には、アイコン表示部以外の表示領域（非アイコン表示部）においてはＷ使用率αを１００〔％〕とし、アイコン表示部においては、Ｗ使用率αを１００〔％〕より下げることにより、アイコン表示部において、ＲＧＢＷの各単位画素の劣化率を均等にさせる。
【０１２３】
〔３〕表示装置の構成の説明
図２７は、表示装置の構成を示している。
【０１２４】
ＲＧＢ−ＲＧＢＷ信号変換回路１には、デジタルのＲＧＢ信号Rin,Gin,Bin が入力される。このＲＧＢ信号Rin,Gin,Bin には、通常の映像信号の他、アイコンの表示信号も含まれている。ＲＧＢ−ＲＧＢＷ信号変換回路１は、ＲＧＢ信号Rin,Gin,Bin をＲＧＢＷ信号Rout,Gout,Bout,Wout に変換する。ＲＧＢ−ＲＧＢＷ信号変換回路１によって得られたＲＧＢＷ信号Rout,Gout,Bout,Wout は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【０１２５】
ＲＧＢ信号Rin,Gin,Bin の垂直同期信号Vsync および水平同期信号Hsync は、タイミング生成回路１２４に送られる。タイミング生成回路１２４は、タイミング信号を生成して、Ｄ／Ａ変換回路２および有機ＥＬディスプレイ３に送る。
【０１２６】
ＲＧＢ信号Rin,Gin,Bin の垂直同期信号Vsync 、水平同期信号Hsync およびドット信号CLK は、カウンタ(CNT) １２１に送られる。カウンタ１２１からは、ＲＧＢ信号Rin,Gin,Bin に対応する画面上の表示位置( 水平位置および垂直位置) を示す位置信号が出力される。カウンタ１２１から出力される位置信号は、アイコン表示領域判別回路１２２に送られる。アイコン表示領域判別回路１２２は、メモリを備えている。メモリには、アイコンが表示される画面であって、表示パターンが異なる種類毎に、アイコン表示位置を示すアイコン表示位置テーブルが記憶されている。
【０１２７】
アイコン表示位置テーブルは、例えば、図２８に示すように、表示位置毎に、アイコンが表示されるか否かを表す識別データ（０または１）を記憶したテーブルである。アイコンが表示される位置には１が記憶され、アイコンが表示されない位置には０が記憶される。
【０１２８】
なお、アイコンが表示される画面においては、図示しない制御部から、その画面に対応したアイコン表示位置テーブルを選択するための制御信号が、アイコン表示領域判別回路１２２に送られる。
【０１２９】
アイコン表示領域判別回路１２２は、制御部からの制御信号に基づいて、表示される画面に対応したアイコン表示位置テーブルを選択し、カウンタ１２１の位置信号と選択したアイコン表示位置テーブルとに基づいて、カウンタ１２１の位置信号によって表される表示位置がアイコン表示部内であるか非アイコン表示部内であるかを判別し、その判別信号を出力する。
【０１３０】
アイコン表示領域判別回路１２２から出力される判別信号は、セレクタ(SEL) １２３にセレクタ制御信号として送られる。セレクタ１２３には、ＲＧＢ−ＲＧＢＷ信号変換回路１で用いられるＷ使用率αとして、第１のＷ使用率WGAIN1と、第２のＷ使用率WGAIN2とが入力されている。WGAIN1は１００〔％〕に設定され、WGAIN2は１００〔％〕より小さい値に設定されている。
【０１３１】
セレクタ１２３は、画面上の表示位置が非アイコン表示部内であることを示す判別信号が入力しているときには、WGAIN1をＷ使用率αとしてＲＧＢ−ＲＧＢＷ信号変換回路１に設定し、画面上の表示位置がアイコン表示部内であることを示す判別信号が入力しているときには、WGAIN2をＷ使用率αとしてＲＧＢ−ＲＧＢＷ信号変換回路１に設定する。
【０１３２】
したがって、アイコンが表示される場合には、非アイコン表示部においてはＷ使用率αが１００〔％〕に設定され、アイコン表示部においては、Ｗ使用率αが１００〔％〕より低い値に設定されるので、アイコン表示部において、ＲＧＢＷの各単位画素の劣化率を均等にさせることができる。このため、焼き付きが発生しにくくなる。
【実施例３】
【０１３３】
〔１〕ＲＧＢ−ＲＧＢＷ変換回路についての説明
実施例３で用いられるＲＧＢ−ＲＧＢＷ変換回路による変換処理手法は、図２４で示した実施例１のＲＧＢ−ＲＧＢＷ変換回路による変換処理手法と同じである。
【０１３４】
〔２〕実施例３の概要
実施例３では、各画素毎に、それを構成するＲＧＢＷの各単位画素の現在までの総発光量（現在までの各フレームにおける信号レベルの積算値）を算出し、ＲＧＢの各単位画素毎の現在までの総発光量のうちの最大値と、Ｗ単位画素の現在までの総発光量との差ΔＳが閾値Ｈより大きくなった場合には、当該画素に対するＷ使用率αを１００〔％〕以下の値に設定する。また、ΔＳが閾値Ｌより小さくなったときには、Ｗ使用率αを１００〔％〕に戻す。これにより、各画素において、ＲＧＢＷの各単位画素の劣化率を均等にさせる。
【０１３５】
〔３〕表示装置の構成の説明
図２９は、表示装置の構成を示している。
【０１３６】
ＲＧＢ−ＲＧＢＷ信号変換回路１には、デジタルのＲＧＢ信号Rin,Gin,Bin が入力される。ＲＧＢ−ＲＧＢＷ信号変換回路１は、ＲＧＢ信号Rin,Gin,Bin をＲＧＢＷ信号Rout,Gout,Bout,Wout に変換する。ＲＧＢ−ＲＧＢＷ信号変換回路１によって得られたＲＧＢＷ信号Rout,Gout,Bout,Wout は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【０１３７】
ＲＧＢ信号Rin,Gin,Bin の垂直同期信号Vsync および水平同期信号Hsync は、タイミング生成回路２２５に送られる。タイミング生成回路２２５は、タイミング信号を生成して、Ｄ／Ａ変換回路２および有機ＥＬディスプレイ３に送る。
【０１３８】
ＲＧＢ信号Rin,Gin,Bin の垂直同期信号Vsync 、水平同期信号Hsync およびドット信号CLK は、カウンタ(CNT) ２２１に送られる。カウンタ２２１からは、ＲＧＢ信号Rin,Gin,Bin に対応する画面上の表示位置( 水平位置および垂直位置) を示す位置信号が出力される。カウンタ２２１から出力される位置信号は、発光履歴比較部２２２に送られる。
【０１３９】
発光履歴比較部２２２は、ＲＧＢ−ＲＧＢＷ信号変換回路１から出力されるＲＧＢＷ信号Rout,Gout,Bout,Wout に基づいて、各画素毎にそれを構成するＲＧＢＷの各単位画素の現在までの総発光量を算出してメモリに保持している。発光履歴比較部２２２は、カウンタ２２１から出力される位置信号とメモリの内容とに基づいて、カウンタ２２１から出力される位置信号によって表される画素に対応するＲＧＢの各単位画素の現在までの総発光量のうちの最大値Ａと、その画素に対応するＷ単位画素の現在までの総発光量Ｂとを求め、その差ΔＳ（＝Ｂ−Ａ）を算出する。
【０１４０】
発光履歴比較部２２２によって算出されたΔＳは、比較回路２２３に送られる。比較回路２２３には、閾値Ｌと閾値Ｈ（Ｌ＜Ｈ）とが設定されている。比較回路２２３は、ΔＳ＜Ｌの場合には第１の判別信号を出力し、ΔＳ＞Ｈのときには第２の判別信号を出力し、Ｌ≦Δ≦Ｈの場合には当該画素に対して前回出力した判別信号を出力する。
【０１４１】
比較回路２２３から出力される判別信号はセレクタ２２４にセレクタ制御信号として送られる。セレクタ２２４には、ＲＧＢ−ＲＧＢＷ信号変換回路１で用いられるＷ使用率αとして、第１のＷ使用率WGAIN1と、第２のＷ使用率WGAIN2とが入力されている。WGAIN1は１００〔％〕に設定され、WGAIN2は１００〔％〕より小さい値に設定されている。
【０１４２】
セレクタ２２４は、第１の判別信号が入力しているときには、WGAIN1をＷ使用率αとしてＲＧＢ−ＲＧＢＷ信号変換回路１に設定し、第２の判別信号が入力しているときには、WGAIN2をＷ使用率αとしてＲＧＢ−ＲＧＢＷ信号変換回路１に設定する。
【０１４３】
したがって、各画素において、図３０（ａ）に示すように、ΔＳがＨより大きくなるとＷ使用率αが１００〔％〕より低い値に設定され、図３０（ｂ）に示すように、ΔＳがＬより小さくなるとＷ使用率αが１００〔％〕に設定されるので、各画素毎にそれを構成するＲＧＢＷの各単位画素の劣化率を均等にさせることができる。このため、焼き付きが発生しにくくなる。
【０１４４】
なお、上記各実施例では、ＲＧＢＷ方式の自発光型ディスプレイを備えた表示装置について説明したが、この発明は、ＲＧＢＸ（ＸはＲＧＢ以外の任意の色）方式の自発光型ディスプレイを備えた表示装置について適用することができる。
【図面の簡単な説明】
【０１４５】
【図１】１画素がＲ，Ｇ，Ｂ，Ｗの４つの単位で構成されている例を示す模式図である。
【図２】表示装置の構成を示すブロック図である。
【図３】ＲＧＢ入力信号の一例を示す模式図である。
【図４】ｍｉｎ（ＲＧＢ）を示す模式図である。
【図５】入力信号−ｍｉｎ（ＲＧＢ）を示す模式図である。
【図６】Ｗt （２５５）を表現するためのＲＧＢＷの信号比を示す模式図てある。
【図７】Ｗt （１００）を実現するためのＲＧＢＷの信号比を示す模式図てある。
【図８】図５のＲＧＢ値と図７のＲＧＢＷ値とを加算することにより、求められたＲＧＢＷ値を示す模式図である。
【図９】パネル調整処理手順を示すフローチャートである。
【図１０】ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とを示す模式図である。
【図１１】ＲＧＢ入力信号をＲＧＢＷ信号に変換するための信号変換処理の手順を示すフローチャートである。
【図１２】ＲＧＢ入力信号をＲＧＢＷ信号に変換するための信号変換処理の他の例を示すフローチャートである。
【図１３】ＲＧＢ入力信号の一例を示す模式図である。
【図１４】ＲＧＢ入力信号−ｍｉｎ（ＲＧＢ）を示す模式図である。
【図１５】ｍｉｎ（ＲＧＢ）を示す模式図である。
【図１６】ｍｉｎ（ＲＧＢ）に対応するＲＧＢＷ信号を示す模式図である。
【図１７】図１４のＲＧＢ値と図１６のＲＧＢＷ値とを加算することにより、求められたＲＧＢＷ値を示す模式図である。
【図１８】得られたＲＧＢＷ信号をＲ1 Ｇ1 Ｂ1 Ｗ1 入力信号とした場合の、Ｒ1 Ｇ1 Ｂ1 Ｗ1 入力信号を示す模式図である。
【図１９】Ｒ1 Ｇ1 Ｂ1 入力信号−ｍｉｎ（Ｒ1 Ｇ1 Ｂ1 ）を示す模式図である。
【図２０】ｍｉｎ（Ｒ1 Ｇ1 Ｂ1 ）を示す模式図である。
【図２１】ｍｉｎ（Ｒ1 Ｇ1 Ｂ1 ）に対応するＲＧＢＷ信号を示す模式図である。
【図２２】図１９のＲ1 Ｇ1 Ｂ1 値と図２１のＲ1 Ｇ1 Ｂ1 Ｗ1 値とを加算することにより、求められたＲＧＢＷ値を示す模式図である。
【図２３】ＲＧＢ入力信号をＲＧＢＷ信号に変換するための信号変換処理のさらに他の例を示すフローチャートである。
【図２４】実施例１で用いられるＲＧＢ−ＲＧＢＷ変換回路による信号変換処理の手順を示すフローチャートである。
【図２５】解像度が６４０（Ｈ）×４８０（Ｖ）である有機ＥＬディスプレイに、アスペクト比が１６：９の入力映像を表示した場合の表示例を示す模式図である。
【図２６】実施例１による表示装置の構成を示すブロック図である。
【図２７】実施例２による表示装置の構成を示すブロック図である。
【図２８】アイコン表示位置テーブルの内容を示す模式図である。
【図２９】実施例３による表示装置の構成を示すブロック図である。
【図３０】ΔＳがＨより大きく場合と、ΔＳがＬより小さい場合とを示すグラフである。
【符号の説明】
【０１４６】
１  ＲＧＢ−ＲＧＢＷ信号変換回路
２  Ｄ／Ａ変換回路
３  有機ＥＬディスプレイ
２１，１２１，２２１  カウンタ(CNT) 
２２，２２３    比較回路
２３，１２３，２２４  セレクタ(SEL) 
２４，１２４，２２５  タイミング生成回路
１２２  アイコン表示領域判別回路
２２２  発光履歴比較部
【図１】
2006267148.tif 000005
【図２】
2006267148.tif 000006
【図３】
2006267148.tif 000007
【図４】
2006267148.tif 000008
【図５】
2006267148.tif 000009
【図６】
2006267148.tif 000010
【図７】
2006267148.tif 000011
【図８】
2006267148.tif 000012
【図９】
2006267148.tif 000013
【図１０】
2006267148.tif 000014
【図１１】
2006267148.tif 000015
【図１２】
2006267148.tif 000016
【図１３】
2006267148.tif 000017
【図１４】
2006267148.tif 000018
【図１５】
2006267148.tif 000019
【図１６】
2006267148.tif 000020
【図１７】
2006267148.tif 000021
【図１８】
2006267148.tif 000022
【図１９】
2006267148.tif 000023
【図２０】
2006267148.tif 000024
【図２１】
2006267148.tif 000025
【図２２】
2006267148.tif 000026
【図２３】
2006267148.tif 000027
【図２４】
2006267148.tif 000028
【図２５】
2006267148.tif 000029
【図２６】
2006267148.tif 000030
【図２７】
2006267148.tif 000031
【図２８】
2006267148.tif 000032
【図２９】
2006267148.tif 000033
【図３０】
2006267148.tif 000034